(57)【要約】      （修正有）【課題】拭き布の収納形態を崩さずに保持でき、プレー時に気にならない薄さで、拭き布の出し入れが簡単なゴルフボール汚れ拭き用具を提供する。【解決手段】開閉自在のシート状前カバーと後カバーの間に、清掃手段の汚れ拭き布の一端をカバー裏面に接合して折り畳んで挟み、カバー開閉契合手段として、契合用部品のボタン、マジックテーフ等の別部品を使用せず、カバー用素材に鍵形状の契合手段を設けて、契合させることにより、ハンカチを折り畳んだ様に薄いゴルフボール汚れ拭き用具を実現する。【効果】薄く、且つ拭き布が汚れたとき簡単に交換できるので、ゴルフプレー中の汚れ拭き用具だけでなく、眼鏡、カメラ、電話、アクセサリーなどの小物の携帯用清掃用具となる。【選択図】図１
0003105137.tif 000002
【実用新案登録請求の範囲】
【請求項１】
シート状の前カバーと後カバーの、下辺に接合部、上辺に開閉部を有し、内部にゴルフボールの汚れを拭き落とす拭き布を収納する収納用具において、該カバー素材で一体化した鍵形状外形の噛み合わせで結合或いは分離する開閉部を有する事を特徴とする携帯用ゴルフボール汚れ拭き用具。
【請求項２】
前カバーと後カバー素材で一体化した鍵形状外形の噛みあわせで結合或いは分離する開閉部において、夫々のカバーの裏面が相手の表面と重なり該カバーの外形が噛み合って契合することを特徴とする請求項１の携帯用ゴルフボール汚れ拭き用具。
【請求項３】
前又は後カバーの裏面に、ゴルフボールの汚れを落とす拭き布の一端を接合する手段を持った事を特徴とする請求項１又は請求項２の携帯用ゴルフボール汚れ拭き用具。
【請求項４】
前又は後カバーが、塩化ビニール、ナイロン、オレフィン系の高分子石油製品のシート素材からなる事を特徴とする請求項１又は請求項２又は請求項３の携帯用ゴルフボール汚れ拭き用具。
【請求項５】
請求項１若しくは請求項２若しくは請求項３若しくは請求項４の収納用具において、前カバーと後カバーに挟まれる内部にゴルフボールの汚れを落とす拭き布を収納した事を特徴とする携帯用ゴルフボール汚れ拭き用具。
【請求項６】
請求項４において、ゴルフボールの汚れを落とす拭き布の一端及び他端が夫々前カバーと後カバーに結合された事を特徴とする携帯用ゴルフボール汚れ拭き用具。
【請求項７】
請求項５又は請求項６において、ゴルフボールの汚れを落とす拭き布が木綿又は毛又は化学繊維材からなる布で作られた事を特徴とする携帯用ゴルフボール汚れ拭き用具。
【請求項８】
請求項５又は請求項６において、ゴルフボールの汚れを落とす拭き布が革製品から成る拭き布で作られた事を特徴とする携帯用ゴルフボール汚れ拭き用具。
【考案の詳細な説明】
【技術分野】
【０００１】
本考案は、ゴルフプレーにおいて、ゴルフプレーヤが汚れたゴルフボールを拭くための携帯用ゴルフボール汚れ拭き用具に関するものである。
【背景技術】
【０００２】
ゴルフ競技は、競技場においてゴルフプレーヤがゴルフボールをテーグラウンドから所要のクラブで打飛し、グリーン上に設けたカップに何打で入れるかを競う競技で、通常は４名またはそれ以下のプレーヤと、ゴルフバッグや競技場のアドバイス或いは打飛したゴルフボールの行方を監視したりグリーンに載せたプレーヤのゴルフボールを拭くなどのサービスをするキャディを１名加えてチームを編成し、プレー競技が運営される。
【０００３】
競技場は、野外の土草木で造営されたゴルフコースが一般的であり、プレー中のゴルフボールやクラブは泥や草木で汚れ、清掃の必要が生じるが、ゴルフプレーのルールでは、特別にローカルルールで設定されていない限りゴルフボールをグリーンに乗せる以前にプレーヤやキャディが勝手にそのプレー中の該ゴルフボールを取り上げて清掃することは禁止されており、従ってグリーンに乗せたときはかなり汚れているのが普通で、グリーンオンで初めてゴルフボールを手に取り汚れをきれいに拭き落とし、カップを狙ってプレーを続行することできる。
【０００４】
グリーン上にゴルフボールが乗ると、通常はキャディが自分のゴルフボール拭き用具で拭いてくれるので、プレーヤは自分で汚れを拭く必要はないが、たとえば、パートナーのプレーヤがブッシュや林の中へゴルフボールを打ち込んでトラブルになった場合、キャディがゴルフボール探しの応援にけば、当然先にグリーンオンした自分の汚れたゴルフボールは自分で拭くことになる。
【０００５】
米国等海外のゴルフプレーは気軽なスポーツとして盛んであり、キャディ不在のプレーが多く、また日本国内でも河川敷のパブリックコースやショートコースなど手軽なゴルフコースで経済的にプレーを楽しむキャディ無し競技が多くなっているが、この場合はグリーンオンのゴルフボールは自分で汚れを落とさなければならず、そのため、ゴルフバッグに濡れタオルをぶら下げて汚れ落とし用具として準備し、グリーンオンしたときゴルフボール位置にマーカーを置いて該ボールを取り上げ、グリーンの外周近辺に置いたゴルフバッグの場所へ移動し、用意したタオルで該ボールを拭いてから元のマーカー位置に戻すという方法をとるのが一般的であり、ゴルフボールの汚れをグリーン上で手軽に簡単に拭き取ることの出来る携帯型の汚れ拭き用具が望まれている。
【０００６】
これらゴルフボール拭き用具は、実用新案登録第３０９２９１９号の「クリーナー機能を有した縫いぐるみ」のように、携帯に適した大きさの動物等の形をした縫いぐるみに袋を設けてファスナー等で開閉できるようにして、その袋の内側に拭き布を設けたものや、特開２０００−２５４２５５の「携帯型ゴルフボール・指拭き」のように、ゴルフボールを挟み覆える広さで、水気を浸透させず柔軟性のある材質カバーを二つ折りにして、その内部に拭き布を設け、更にそのカバーの外側にゴルフボール用の小物であるティーやマーカー入れを付け上部開口部は留め手段を設けず、開いたままでボールが拭ける用具や、実用新案登録第３０７２１５８号のように袋状の内部を拭き布で形成しその外部を防水性の材質で覆うように構成された袋状の用具がある。
【特許文献１】実新公報  昭６１−７０８３２
【特許文献２】昭６２−１０４２２６
【特許文献３】平２−１４０５２２
【特許文献４】実新公報  平５−１８３１９
【特許文献５】特許公報  平９−１９１９１７
【特許文献６】登録第３０９２９１９
【特許文献７】特開２０００−２５４２５５
【特許文献８】登録第３０７２１５８
【考案の開示】
【考案が解決しようとする課題】
【０００７】
ゴルフボール拭き用具の携帯性は、プレーヤにとってプレイ競技上の大きな要素であり、該用具のプレイ中の携帯方法がズボンの前ポケット、後ポケット、腰バンド或いは上着のポケット等の場合、該用具が大きくて柔軟性に欠けてポケット等を大きく膨らませる場合、プレイ動作中の腕の運動や肩腰の動きの阻害要因となりミスプレイにつながる場合が多く、概してこのような用具は柔らかく厚さが薄く、例えばハンカチを折りたたんでポケットに入れたような感覚のものがよく、且つ水分を含んだ汚れ落とし用の拭き布の水分がポケット内に染み出ず、激しいプレイ動作でも形が崩れずにしっかり保持できるものでなければならない。
【０００８】
実用新案登録第３０９２９１９号は縫いぐるみ人形タイプの拭き布であり、プレーヤがポケット等に入れて携帯するにはポケットを大きく膨らまして好ましくない。
【０００９】
特開２０００−２５４２５５は、柔軟性のあるカバーを二つ折りにしてその内側に拭き布を設けて挟み込むだけで、開閉の止め手段がないために拭き布の形態保持能力に欠け更にマーカーやテーを保管する場所が設けられるので厚さ方向を厚くしてプレーヤのポケットの異物感を更に強くする結果になる。
【００１０】
実用新案登録第３０７２１５８号は、壷のような物入れ袋の形状をしており、拭き布を形成する内袋と外カバーを接着する手段を設けるので厚さ方向が厚く、プレーヤのポケットに携帯してプレーをするには不都合である。
【００１１】
本考案が解決しようとする課題は、ポケットの中にあたかもハンカチを折りたたんで収納するかのように、厚さ方向を数ミリの厚さにして、撥水性があり柔軟性に富んだシート状の材質を使用して、その中に収納するゴルフボール汚れ拭き布の収納形状を崩さないように該シートに凹凸のない契合手段を設けて開閉する柔軟性のある厚さの薄い携帯用のゴルフボール汚れ拭き用具を提供するのが目的である。
【課題を解決するための手段】
【００１２】
本考案は、ゴルフプレイの中でゴルフボールの汚れを拭き取る携帯用の清掃用具であって、柔軟性があり撥水性のあるシート状素材の前カバーと後カバーから成り、該カバーの下辺に接合部、上辺に開閉部を有し、該開閉部は素材シートに凹凸の無い鍵形状を設けてその噛み合わせで開閉手段を形成し、該前と後カバーに挟まれた内側にゴルフボールの汚れを拭き取る拭き布を挟み込んだ事を特徴とした清掃用具である。
【００１３】
前カバーと後カバーの素材は、ある程度弾力性に富む高周波熱溶解性のシート材、例えば焼却しても有害ガスを発生しない自然にやさしいオレフィン材を使用し、該カバーは底辺部を高周波溶着機で互いに結合し、上辺の開閉部は前カバーと後カバーが互いに噛み合うように鍵の形状に切断し、締結する場合は該カバー鍵形状部の表側が相手の裏側に重なる様に嵌め込んで契合し、ゴルフボール拭き布は木綿又は化繊等の布が折り畳まれて該カバー内部に後述する手段で挟み込まれる。
【００１４】
該カバーの内側には、ゴルフボール拭き布の一端を接着固定する場所が設定され、更に他端を仮止めするバンドが該カバーに溶着されており、汚れ拭き布は該接着固定部と仮止めバンドに他端部を嵌め込む事で夫々前カバーと後カバーに継続されるので、契合部を開放してゴルフボールを拭くときに該カバーとを開くだけで、その間にゴルフボールを挟み込めば簡単に汚れ拭きが出来るようになり、拭き布を収納するときは該カバーを閉じるだけで拭き布は収納形状を保持され且つ仮止めバンドによって緩んでカバーからはみ出すようなことが無いが、別の手段として仮止めバンドに代えて拭き布他端をカバーに直接結合して拭き布がカバーからはみ出さ無い手段をとってもよい。
【００１５】
また別の手段として、布の長さがカバーからはみ出しにくい短いカバーであれば仮止めバンドを省略してもよい。
【考案の効果】
【００１６】
従来はボタンやマジックテープのように厚みのある部品を使用して開閉部を構成し、厚さ方向を厚くしプレーヤのポケット内で異物感を与えていたが、本考案によって、シート素材の表面の凹凸を無くした鍵契合機能の開閉機構を備える事によって、プレーヤはハンカチを畳んで入れているかのようにポケット内の異物感を排除でき、更にシート素材の弾力特性を利用して拭き布の収納形状を固定でき、更にシート素材から構成される収納用具であるため、製造の経済性においても、シート素材はビニールシートやナイロンシート或いはオレフィンシート材を使用してシートを重ね合わせて超音波溶着機或いは高周波溶着機で溶着でき、これら工程は溶着と外形裁断を同一金型で同時工程で作業できるので縫合作業等の作業工程が不要となり、省部品・省工程の経済的な清掃用具の製造が可能となる。
【００１７】
更にゴルフクラブの汚れやプレーで汗に汚れた眼鏡などを拭くとき、前記拭き布を仮止めバンドから拭き布の他端を引き出して使用することも出来るので、ゴルフボールの汚れ拭きだけではなく、アクセサリー、眼鏡、時計、携帯電話、カメラ等の清掃用具として用途が拡大する効果がある。
【考案を実施するための最良の形態】
【００１８】
本考案はゴルフプレーヤがグリーンオンしたゴルフボールの汚れを拭き取るために、ゴルフボール拭きの用具を自分のポケット等に身に付け、該用具はゴルフプレーの運動動作に何も影響を与えず、簡単に取り出せて、簡単にボールを拭き、簡単にポケット等へ収納できる、ゴルフボール汚れ拭き用具の考案であリ、ポケットに入る大きさであり、あたかもハンカチをポケットに入れている様に、厚さを薄くして凹凸の異物感を出さず、適当な柔軟性のある携帯用の清掃用具を実施するものである。
【００１９】
その実施ポイントは、シート素材を使用して拭き布を収納するカバーを成し、カバーは経済的に製造するため縫合工程を排除して熱溶着や金型抜き等で接合や裁断を行い、ボタン或いはファスナー等の異型部品を使用しないでシート素材そのものの表面に凹凸を設けない鍵形状の噛み合わせ部を外形抜き形状として設け、該カバー噛み合わせ部の表面が相手の裏面に接するように合わせられて契合する構造を設けることを特徴とし、更に該収納用具の表カバーと裏カバーの内側に拭き布の一端を接着し他端を仮止めするバンドを溶着することで拭き布の収納形態を保持し且つ簡単に収納用具を開いてゴルフボールの汚れが拭き取れ、汚れ拭きが終了したら収納用具を閉じるだけで拭き布収納形態が保持でき、更に特殊な使用方法として前記拭き布仮止めバンドから拭き布の他端を抜き出すと、ゴルフクラブやゴルフプレーで汚れた眼鏡なども拭く事ができる携帯用ゴルフボール汚れ拭き用具の実施である。
【実施例１】
【００２０】
それでは、図面を用いて本考案の一実施例を説明する。
【００２１】
第一図は、本考案の収納用具の外観斜視図である。
【００２２】
１は前カバー、２は後カバーで例えば高周波溶着機で溶着の出来る柔軟性のある０．４ミリ程度のオレフィンシート素材が使用され底辺部３で溶着されている。
【００２３】
前カバー１と後カバー２の上辺は、鍵状契合部で構成され、前カバー１の契合部４と、後カバー２に６の溶着部で結合された５の契合板の契合部７が契合部の４の鍵状部９、１７と契合部７の鍵状部８，１６で互いに表面と裏面が重なり噛みあって前カバー１と後カバー２が契合されている状態を示しており、１０は本収納用具をゴルフバッグ等にぶら下げて保管するときに使用できるアクセサリーリボン穴で、ａａは第２図で説明するための縦断面線である。
【００２４】
第２図は、本考案実施例の第１図ａａ縦断面図で、前カバー１と後カバー２が３の底辺部で溶着され、上辺部は４の前カバー契合部と後カバー２に６の部分で溶着結合されている５の契合板の契合部７がお互いに裏面と表面が重なり合って契合している状態を示し、後カバー２は拭き布１１の一端を両面接着テープ１２で結合し、前カバー１と仮止めバンド１３は該テープ両端を前カバー１に溶着されており、前カバー１と仮止めバンド１３の間に拭き布１１の他端が差し込まれて収納形態を保持されるが、別の実施例としては仮止めバンド１３を省略して拭き布１１の他端を前カバー１に直接両面接着テープで貼り付けて拭き布の保持形態を維持しカバーからはみ出さないようにする方法もある。
【００２５】
また、拭き布の長さが短い場合は、仮止めバンド１３を省略しても収納形態に問題を生じない場合もある。
【００２６】
第３図は、前カバー１の契合部４の鍵状部８，１６と後カバー２の契合板５の契合部７の鍵状部９，１７の噛み合い部を開放して前カバー１を開いた時の前カバー開放斜視図である。
【００２７】
前カバー１と仮止めバンド１３は１４、１８の溶着部で接合され、該バンド１３と前カバー１の間に拭き布１１の他端部が差し込まれてカバーからはみ出さないように形態保持されている状態を示しているが、これは、拭き布１１を引き抜いてゴルフボールを拭いたり、プレーで汚れた眼鏡を拭いたり、或いはアイアンクラブの汚れを拭き払ったりするときに都合をよくするためで、別の実施形態として、仮止めバンド１３を排除して拭き布１１の他端を両面接着テープで前カバー１に直接接合する方法でも本考案の目的は達成されるし、拭き布１１を後カバー２に止める実施方法として、前述のごとく１２で直接接着する方法の他に、例えば拭き布１１の一端に穴をあけて５の契合板と後カバー２の間に一端を挟み込み後カバー２と契合板５を溶着するとき同時に前記拭き布に設けた穴部分で後カバー２と契合板５を溶着すれば拭き布１１と後カバー２を契合することも出来る。
【００２８】
第４図は、前カバーと後カバーが上辺部で開放され、ゴルフボール１５を挟み込んで汚れを拭き取る時の状態図である。
【００２９】
拭き布は折りたたんだ収納形態を崩すことなくゴルフボール１５を包み込み、しかも３の溶着部において前カバー１と後カバー２の底辺部が若干袋状になるため拭き布１１のボール表面に接触する面積が広くなり、ゴルフボールの汚れを落とし易くしている。
【００３０】
汚れを拭き終えてゴルフボール１１を抜き取ると、前カバー１と後カバー２は拭き布１１を挟んだまま自然に重なり、契合部４と７で互いに噛み合せて閉じれば、拭き布１１の折り畳み形状が保持されたままゴルフボール汚れ拭き用具はプレーヤのポケットに簡単に収納できる。
【００３１】
第５図は、本考案の契合部の実施例を説明する説明図である。
【００３２】
Ａ図は前カバー１と後カバー２が契合部でまだ契合してしていない状態図で、Ｂ図が契合した状態図である。
【００３３】
前カバー１の契合部４を後カバー２に溶着した契合板５の契合部７の下側に宛がい、鍵状部９と８、１７と１６に挿入する形で契合部を互いにクロスすると、契合部４の表面は契合部７の裏面と接合し、且つ８と９及び１６と１７はその逆面で接合し、鍵状部が互いに噛み接合される。
【００３４】
Ｂ図がその状態を示しているが、ｂｂ線の断面図がＣ図であり、契合部４と契合部７の重なり合い関係を示している。
【００３５】
この契合方法により、前カバー１と前カバー２は契合を開放する方向に多少の力が加わっても８と９及び１６と１７の鍵状部で噛み合って離脱しない。
【００３６】
Ｄ図は前述鍵形状の別の実施形態図で、契合部４と７の形状が前述鍵形状と異なるが、４と７は互いの表側と裏側が接しながら９と１９の鍵状部で噛み合って前述の契合機能を果たすことが出来る。
【００３７】
また、Ｅ図は、契合板５を省いて、直接後カバー２に７の契合部を切り込んで契合部７と８、１６を構成したもので、この原理も前述と同様である。
【図面の簡単な説明】
【００３８】
【図１】本考案実施例の外観斜視図である。
【図２】本考案実施例の第１図ａａ線からの縦断面図である。
【図３】本考案実施例の前カバー開放時の斜視図である．
【図４】本考案実施例のゴルフボールを清掃するときの清掃状態一実施例である。
【図５】本考案実施例の、前カバーと後カバーを契合する時の説明図で、Ａ図は未契合状態図、Ｂ図は契合状態図、Ｃ図は契合説明断面図、Ｄ図は契合部鍵状の別実施例図、Ｅ図は契合板を除去した別実施例図である。
【符号の説明】
【００３９】
１  前カバー
２  後カバー
３  前カバー後カバーの溶着部
４  前カバーの接合部
５  後カバーと連結の契合板
６  後カバーと契合板の溶着部
７  後カバーと契合板の溶着部
８  契合板の鍵状部
１６  契合板の鍵状部
９  前カバー契合部の鍵状部
１７  前カバー契合部の鍵状部
１０  アクセサリーリボン穴
ａａ  縦断面線
１１  拭き布
１２  接着剤テープ
１３  仮止めバンド
１４  前カバーと仮止めバンド溶着部
１８  前カバーと仮止めバンド溶着部
１５  ゴルフボール
１９  別実施例の鍵状部
【図１】
0003105137.tif 000003
【図２】
0003105137.tif 000004
【図３】
0003105137.tif 000005
【図４】
0003105137.tif 000006
【図５】
0003105137.tif 000007